(57)【要約】      （修正有）【課題】廃棄容器であることを見分けやすく、使用済みの体液成分測定センサを再使用することが困難な体液成分測定センサ用廃棄容器を提供する。使用済みの体液成分測定センサを衛生的に廃棄可能な体液成分測定センサ用廃棄容器を提供する。それ自体を衛生的に廃棄可能な体液成分測定センサ用廃棄容器を提供する。また、携帯性に優れた体液成分測定センサ用廃棄容器を提供する。【解決手段】体液成分測定センサＳを投入するための投入口３１を備える投入部３と、投入口３１を介して投入された体液成分測定センサＳを収容する収容部１とを備える。好ましくは、収容部１は、上部に開口１３を備え、開口１３を覆うためのキャップ２を更に備えている。好ましくは、体液成分測定センサＳまたは体液成分測定センサＳに付着した体液ＢＦが脱出することを防止する脱出防止手段５，６を更に備えている。好ましくは、小型で携帯可能である。【選択図】図１
0003163879.tif 000002
【実用新案登録請求の範囲】
【請求項１】
体液成分測定センサを投入するための投入口を備える投入部と、
前記投入口を介して投入された前記体液成分測定センサを収容する収容部と、
を備える、体液成分測定センサ用廃棄容器。
【請求項２】
請求項１に記載の体液成分測定センサ用廃棄容器であって、
前記収容部は、上部に開口を備え、
前記開口を覆うためのキャップを更に備えている、体液成分測定センサ用廃棄容器。
【請求項３】
請求項２に記載の体液成分測定センサ用廃棄容器であって、
前記キャップは、前記収納部とヒンジを介して結合されており、
前記キャップは、前記投入口を開閉することができる、体液成分測定センサ用廃棄容器。
【請求項４】
請求項２ないし３のいずれかに記載の体液成分測定センサ用廃棄容器であって、
前記キャップの内面に、前記投入口を塞ぐための押さえ部材を備えている、体液成分測定センサ用廃棄容器。
【請求項５】
請求項２ないし４に記載の体液成分測定センサ用廃棄容器であって、
前記収容部とは別体のアダプター、を備え、
前記投入部は、前記アダプターの一部として形成されたものであり、
前記アダプターは、前記投入部が前記開口を塞ぐように、前記収容部に嵌め込まれている、体液成分測定センサ用廃棄容器。
【請求項６】
請求項５に記載の体液成分測定センサ用廃棄容器であって、
前記アダプターは、前記投入部の下方に弾性脚部を備えており、前記弾性脚部が内側に弾性変形させられて生じる前記収納部の内面を押さえる外向きの力により保持される、体液成分測定センサ用廃棄容器。
【請求項７】
請求項５に記載の体液成分測定センサ用廃棄容器であって、
前記弾性脚部は、第１の係合部を備え、
前記収容部は、前記内面に第２の係合部を備え、
前記第１の係合部と前記第２の係合部が係合することにより、前記アダプターと前記収容部とが接合される、体液成分測定センサ用廃棄容器。
【請求項８】
請求項２に記載の体液成分測定センサ用廃棄容器であって、
前記投入部は、前記キャップに設けられている、体液成分測定センサ用廃棄容器。
【請求項９】
請求項８に記載の体液成分測定センサ用廃棄容器であって、
前記キャップは、前記投入部を覆うカバーを更に備えている、体液成分測定センサ用廃棄容器。
【請求項１０】
請求項９に記載の体液成分測定センサ用廃棄容器であって、
前記カバーの内面に、前記投入口を塞ぐための押さえ部材を有している、体液成分測定センサ用廃棄容器。
【請求項１１】
請求項９または１０に記載の体液成分測定センサ用廃棄容器であって、
前記カバーは、前記キャップにヒンジを介して結合されており、前記投入口を開閉することができる、体液成分測定センサ用廃棄容器。
【請求項１２】
請求項８ないし１１のいずれかに記載の体液成分測定センサ用廃棄容器であって、
前記キャップは、螺合によって前記収容部に結合され、前記開口を開閉することができる、体液成分測定センサ用廃棄容器。
【請求項１３】
請求項２に記載の体液成分測定センサ用廃棄容器であって、
前記キャップは、貫通窓を有する周壁部を備えており、
前記投入部は、前記収容部の側壁上部に形成され、前記側壁上部に前記投入口が設けられており、
前記キャップは、前記収容部の前記開口の周方向に回転可能とされ、所定の位置で前記投入口と前記貫通窓が一致し、前記収容部の内外が貫通するように構成されている、体液成分測定センサ用廃棄容器。
【請求項１４】
請求項１３に記載の体液成分測定センサ用廃棄容器であって、
前記投入部は、前記収納部から取り外しできないように前記開口に取り付けられている、体液成分測定センサ用廃棄容器。
【請求項１５】
請求項１ないし１４のいずれかに記載の体液成分測定センサ用廃棄容器であって、
前記体液成分測定センサまたは前記体液成分測定センサに付着した体液が脱出することを防止するための脱出防止手段を更に備えている、体液成分測定センサ用廃棄容器。
【請求項１６】
請求項１５に記載の体液成分測定センサ用廃棄容器であって、
前記脱出防止手段は、前記投入口の近傍に設けられた返り部材である、体液成分測定センサ用廃棄容器。
【請求項１７】
請求項１５に記載の体液成分測定センサ用廃棄容器であって、
前記脱出防止手段は、前記収容部の内部に設けられた、前記体液を吸収するための吸収材である、体液成分測定センサ用廃棄容器。
【請求項１８】
請求項１５に記載の体液成分測定センサ用廃棄容器であって、
前記脱出防止手段は、前記収容部の内部に設けられた、前記体液が乾燥した場合に固着するための固着材である、体液成分測定センサ用廃棄容器。
【請求項１９】
請求項１ないし１８のいずれかに記載の体液成分測定センサ用廃棄容器であって、
前記投入口は、前記体液成分測定センサの横断面に合わせた形状を有している、体液成分測定センサ用廃棄容器。
【請求項２０】
請求項１ないし１９のいずれかに記載の体液成分測定センサ用廃棄容器であって、
小型で携帯可能である、体液成分測定センサ用廃棄容器。
【考案の詳細な説明】
【技術分野】
【０００１】
本考案は、使用済みの自己血糖測定用センサなど各種体液成分測定センサを廃棄するための容器に関するものである。
【背景技術】
【０００２】
従来の医療用廃棄物を処理するための容器の具体例として、特許文献１に記載されたものがある。この文献に記載された一般的な医療廃棄物処理容器は、医療廃棄物を収納可能な状態で、処理用バッグが、蓋によって容器本体に固着されている。この蓋には、使用後安全な状態にした医療器具の形状に合わせた複数種類の開口が設けられており、危険な状態の医療廃棄物は、処理できないようになっている。このような、医療廃棄物処理容器によれば、注射器などの一般的な医療廃棄物を安全、確実に処理することができる。
【０００３】
しかしながら、前記従来技術においては、次に述べるように、未だ改善すべき余地があった。
【０００４】
すなわち、家庭内や出先において個人が、血糖値測定を行うことを目的として、携帯型として構成された簡易血糖測定装置が実用化されている。このような簡易血糖値測定装置を用いて血糖値を測定する場合、測定の為の酵素反応場を提供するバイオセンサを簡易血糖値測定装置にセットした状態で、指先などから採取された血液がバイオセンサに対して供給される。その結果、使用後のバイオセンサには、血液が付着していることが少なくない。また、バイオセンサは、通常、１回だけしか使用できず、再使用できない。そこで、個人が家庭内や出先において、使用済みのバイオセンサを安全、確実に廃棄できる容器が供給されることが好ましい。コレステロールや乳酸などの他の体液成分測定センサについても、事情は、同様である。
【０００５】
ところが、従来技術の医療廃棄物処理容器は、診療所、病院、または研究室に設置して使用されるものである。個人が、家庭内や出先においても使用できるような携帯性を備えるものではない。また、家庭内や出先において適切な廃棄容器がないため、使い終わった新品センサの保管容器が廃棄容器として使用される場合がある。このような場合、廃棄容器か否かの見分けがつきにくいため、使用済みの体液成分測定センサが、使用前のセンサが入った容器に廃棄されてしまう恐れがある。このような状況では、使用済みの体液成分測定センサが誤って再使用される場合があり、正しい測定結果が得られないことが起こり得る。また、使用前の体液成分測定センサに体液が付着した場合、特に、簡易測定装置との接続端子に体液が付着した場合には、測定装置が故障する可能性がある。
【０００６】
一方で、従来技術の医療廃棄物処理容器は、蓋に設けられた開口部を閉じることができる構成とはなっていない。そのため、体液成分測定センサの廃棄容器として従来技術の医療廃棄物処理容器を使用した場合であっても、液状または乾燥した体液が外部に飛散する恐れがあり、衛生上の問題を否定できない。
【先行技術文献】
【特許文献】
【０００７】
【特許文献１】特開２００７−１２５４０１号公報
【考案の概要】
【考案が解決しようとする課題】
【０００８】
本考案が解決しようとする課題は、廃棄容器であることを見分けやすい体液成分測定センサ用廃棄容器を提供する点にある。また、使用済みの体液成分測定センサを再使用することが困難な体液成分測定センサ用廃棄容器を提供する点にある。また、使用済みの体液成分測定センサを衛生的に廃棄可能な体液成分測定センサ用廃棄容器を提供する点にある。また、それ自体を衛生的に廃棄可能な体液成分測定センサ用廃棄容器を提供する点にある。また、携帯性に優れている体液成分測定センサ用廃棄容器を提供する点にある。
【課題を解決するための手段】
【０００９】
上記の課題を解決するため、本考案では、次の技術的手段を講じている。
【００１０】
本考案により提供される体液成分測定センサ用廃棄容器は、体液成分測定センサを投入するための投入口を備える投入部と、前記投入口を介して投入された前記体液成分測定センサを収容する収容部と、を備えることを特徴としている。このような構成によれば、投入部が目印となり、廃棄容器であることを判別し易いので、使用済みの体液成分測定センサが使用前のセンサの保管容器に誤って廃棄されることを抑制できる。また、体液成分測定センサの再使用を防止できる。
【００１１】
本考案の好ましい実施の形態においては、前記収容部は、上部に開口を備え、前記開口を覆うためのキャップを更に備えている。このような構成によれば、廃棄された体液成分測定センサが廃棄容器から容易に外に出ることを防止できる。これによって、体液成分測定センサを衛生的に廃棄できる。
【００１２】
本考案の好ましい実施の形態においては、前記キャップは、前記収納部とヒンジを介して結合されており、前記キャップは、前記投入口を開閉することができる。このような構成によれば、投入口をワンタッチで開閉できるので、使用者にとって使い勝手がよい。
【００１３】
本考案の好ましい実施の形態においては、前記キャップの内面に、前記投入口を塞ぐための押さえ部材を備えている。このような構成によれば、押さえ部材は投入口を確実に塞ぐ。また、投入口の周囲に付着した体液を吸収する。これによって、使用済みの体液成分測定センサを衛生的に廃棄可能とすることができる。また、体液成分測定センサ用廃棄容器自体を衛生的に廃棄可能とすることができる。
【００１４】
本考案の好ましい実施の形態においては、前記収容部とは別体のアダプター、を備え、
前記投入部は、前記アダプターの一部として形成されたものであり、前記アダプターは、前記投入部が前記開口を塞ぐように、前記収容部に嵌め込まれている。このような構成によれば、アダプターを準備すれば、空になった使用前のセンサの保管容器を体液成分測定センサ用廃棄容器の一部として再利用することができる。
【００１５】
本考案の好ましい実施の形態においては、前記アダプターは、前記投入部の下方に弾性脚部を備えており、前記弾性脚部が内側に弾性変形させられて生じる前記収納部の内面を押さえる外向きの力により保持される。このような構成によれば、投入部を収納部の開口にしっかりと保持できるので、廃棄された体液成分測定センサや体液が外部に出にくい。これによって、体液成分測定センサを衛生的に廃棄可能である。
【００１６】
本考案の好ましい実施の形態においては、前記弾性脚部は、第１の係合部を備え、前記収容部は、前記内面に第２の係合部を備え、前記第１の係合部と前記第２の係合部が係合することにより、前記アダプターと前記収容部とが接合される。このような構成によれば、投入部はより確実に収納部の開口に保持されるので、廃棄された体液成分測定センサや体液が外部に出にくい。これによって、体液成分測定センサを衛生的に廃棄可能である。
【００１７】
本考案の好ましい実施の形態においては、前記投入部は、前記キャップに設けられている。このような構成によれば、キャップを外せば体液成分測定センサは、開口から廃棄できるので、繰り返し使用が可能な体液成分測定センサ用廃棄容器が提供される。
【００１８】
本考案の好ましい実施の形態においては、前記キャップは、前記投入部を覆うカバーを更に備えている。このような構成によれば、廃棄した体液成分測定センサが、投入口から容易に外に出ることがないので、体液成分測定センサを衛生的に廃棄することができる。また、体液成分測定センサ用廃棄容器自体を衛生的に廃棄可能とすることができる。
【００１９】
本考案の好ましい実施の形態においては、前記カバーの内面に、前記投入口を塞ぐための押さえ部材を有している。このような構成によれば、押さえ部材は投入口を確実に塞ぐとともに、投入口の周囲に付着した体液を吸収する。これにより、使用済みの体液成分測定センサを衛生的に廃棄可能とすることができる。また、体液成分測定センサ用廃棄容器自体を衛生的に廃棄可能とすることができる。
【００２０】
本考案の好ましい実施の形態においては、前記カバーは、前記キャップにヒンジを介して結合されており、前記投入口を開閉することができる。このような構成によれば、投入口をワンタッチで開閉できるので、使用者にとって使い勝手の良い体液成分測定センサ用廃棄容器が提供される。
【００２１】
本考案の好ましい実施の形態においては、前記キャップは、螺合によって前記収容部に結合され、前記開口を開閉することができる。このような構成によれば、キャップと収容部が螺合により確実に結合し、投入部がキャップを介して収容部の開口にしっかりと保持される。これによれば、携帯中は体液成分測定センサを容易に取り出せないので、体液成分測定センサの再使用を防止可能である。また、キャップを外せば体液成分測定センサは、開口から廃棄できるので、体液成分測定センサ用廃棄容器は繰り返し使用が可能となる。
【００２２】
本考案の好ましい実施の形態においては、前記キャップは、貫通窓を有する周壁部を備えており、前記投入部は、前記収容部の側壁上部に形成され、前記側壁上部に前記投入口が設けられており、前記キャップは、前記収容部の前記開口の周方向に回転可能とされ、所定の位置で前記投入口と前記貫通窓が一致し、前記収容部の内外が貫通するように構成されている。このような構成によれば、比較的少ない部品によって、密閉性がよく、携帯性に優れた体液成分測定センサ用廃棄容器を構成することができる。
【００２３】
本考案の好ましい実施の形態においては、前記投入部は、前記収納部から取り外しできないように前記開口に取り付けられている。このような構成によれば、体液成分測定センサ用廃棄容器から使用済みの体液成分測定センサを取り出すことが困難となるので、再使用の防止が可能である。
【００２４】
本考案の好ましい実施の形態においては、前記体液成分測定センサまたは前記体液成分測定センサに付着した体液が脱出することを防止するための脱出防止手段を更に備えている。このような構成によれば、一度廃棄された体液成分測定センサおよびこれに付着した血液などの体液が、体液成分測定センサ用廃棄容器から再度外部に脱出することを防止できる。これにより、衛生的な体液成分測定センサの廃棄が可能となる。同様に、体液成分測定センサ用廃棄容器自体を衛生的に廃棄することができる。
【００２５】
本考案の好ましい実施の形態においては、前記脱出防止手段は、前記投入口の近傍に設けられた返り部材である。このような構成によれば、使用済みの体液成分測定センサおよびそれに付着した体液を容易に外に出ないようにできるので、体液成分測定センサを衛生的に廃棄することができる。同様に、体液成分測定センサ用廃棄容器自体を衛生的に廃棄することができる。
【００２６】
本考案の好ましい実施の形態においては、前記脱出防止手段は、前記収容部の内部に設けられた、前記体液を吸収するための吸収材である。このような構成によれば、使用済みの体液成分測定センサに付着した体液が吸収材により吸収されるので、体液が外に出るのを効果的に防止可能である。これによれば、体液成分測定センサを衛生的に廃棄することができるとともに、体液成分測定センサ用廃棄容器自体を衛生的に廃棄することができる。
【００２７】
本考案の好ましい実施の形態においては、前記脱出防止手段は、前記収容部の内部に設けられた、前記体液が乾燥した場合に固着するための固着材である。このような構成によれば、体液成分測定センサ用廃棄容器中で乾燥した体液が固着材に固着されるので、乾燥した体液が外の出るのを効果的に防止することができる。これによれば、体液成分測定センサを衛生的に廃棄することができるとともに、体液成分測定センサ用廃棄容器自体を衛生的に廃棄することができる。
【００２８】
本考案の好ましい実施の形態においては、前記投入口は、前記体液成分測定センサの横断面に合わせた形状を有している。このような構成によれば、体液成分測定センサを投入することは容易であるが、取り出すことは困難となるので、使用済みの体液成分測定センサの再使用を抑制することができる。
【００２９】
本考案の好ましい実施の形態においては、小型で携帯可能である。このような構成によれば、家庭内や出先において、個人が血糖値などの測定を行う際に、体液成分測定センサを廃棄するのに便利な体液成分測定センサ用廃棄容器を提供できる。
【００３０】
本考案のその他の特徴および利点は、添付図面を参照して以下に行なう考案の実施の形態の説明から、より明らかになるであろう。
【図面の簡単な説明】
【００３１】
【図１】本考案の第１の実施の形態に係る体液成分測定センサ用廃棄容器の全体斜視図である。
【図２】図１に示した体液成分測定センサ用廃棄容器の組み立て作業を説明するための斜視図である。
【図３】図１に示した体液成分測定センサ用廃棄容器の投入口周辺の構造を説明するための要部断面図である。
【図４】図１に示した体液成分測定センサ用廃棄容器のアダプターの弾性脚部と収容部との係合の状態を説明するための要部断面図である。
【図５】（Ａ）および（Ｂ）は、図１に示した体液成分測定センサ用廃棄容器へ体液成分測定センサを廃棄する作業を説明するための斜視図である。
【図６】本考案の第２の実施形態に係る体液成分測定センサ用廃棄容器の組み立て作業を説明するための斜視図である。
【図７】本考案の第３の実施形態に係る体液成分測定センサ用廃棄容器の組み立て作業を説明するための斜視図である。
【図８】本考案の第４の実施の形態に係る体液成分測定センサ用廃棄容器の断面図である。
【図９】（Ａ）ないし（Ｃ）は、図８に示した体液成分測定センサ用廃棄容器へ体液成分測定センサを廃棄する作業を説明するための斜視図である。
【図１０】本考案の第５の実施の形態に係る体液成分測定センサ用廃棄容器の全体斜視図である。
【図１１】図１０のＸＩ−ＸＩ線に沿う断面図である。
【図１２】図１０のＸＩＩ−ＸＩＩ線に沿う断面図である。
【図１３】（Ａ）ないし（Ｃ）は、図１０に示した体液成分測定センサ用廃棄容器へ体液成分測定センサを廃棄する作業を説明するための斜視図である。
【考案を実施するための形態】
【００３２】
以下、本考案の好ましい実施の形態について、図面を参照して具体的に説明する。
【００３３】
まず、第１の実施の形態に係る体液成分測定センサ用廃棄容器Ｘ１について、図１〜図５を参照して説明する。図１に示す体液成分測定センサ用廃棄容器Ｘ１は、個人が家庭内や出先において、たとえば簡易血糖測定装置のような簡易体液成分測定装置を用いて、血糖値などの体液成分を測定する際に使用する使い捨ての体液成分測定センサＳを廃棄するためのものである。体液成分測定センサ用廃棄容器Ｘ１は、小型であり、個人が、簡易体液成分測定装置とともに携帯できるようになっている。具体的には、体液成分測定センサ用廃棄容器Ｘ１は、ハンドバッグや簡易体液成分測定装置の携帯ケースに入れて、持ち運ぶことができる大きさである。図１および図２に示すように、本実施形態の体液成分測定センサ用廃棄容器Ｘ１は、収容部１、キャップ２、投入部３、アダプター４、吸収材５、固着材６、および返り部材７を備えている。
【００３４】
収容部１は、廃棄された使用済みの体液成分測定センサＳを収容するためのものである。体液成分測定センサ用廃棄容器Ｘ１は、複数個の使用済み体液成分測定センサＳを収容することができる。収容部１は、たとえば、金属またはプラスチックを材料にして製造される。収容部１は、円筒状の側壁部１１と、低壁部１２とを備えており、上部には開口１３を有している。もちろん、収容部１の形状は、円筒状に限られるものではなく、横断面が、方形状または楕円形とされていてもよい。
【００３５】
キャップ２は、収容部１の開口１３を覆うためのものである。キャップ２は、収容部１と同様、たとえば、金属またはプラスチックを材料として製造される。図２に示すように、キャップ２は、ヒンジ２６を介して収容部１と結合されている。これにより、収容部１の開口１３は、キャップ２により開閉可能となっている。ヒンジ２６もまた、金属またはプラスチックを材料として製造される。収容部１、キャップ２、およびヒンジ２６をプラスチックにより製造する場合には、射出成形などにより、これらの３部品を一体的に製造することが可能である。プラスチックとして、たとえばポリエチレンやポリプロピレンを使用することができる。
【００３６】
キャップ２の周壁部２１の内面には、突起２２が設けられている。一方で、収容部１の側壁部１１の上部には突起２２と係合させるための突起１４が設けられている。これらの突起２２と突起１４が係合することにより、キャップ２が収容部１の開口１３を覆った時に、キャップ２が外れにくくなっている。キャップ２の周壁部２１の外面には、鍔部２３が設けられている。鍔部２３は、開口１３を覆っているキャップ２を外しやすくするためのものである。
【００３７】
キャップ２は、その上壁部２５の内面に、押さえ部材２４を具備している。押さえ部材２４は、下記に説明する投入口を確実に塞ぐことにより、投入口から体液成分測定センサが外に出るのを防ぐためのものである。その一方、投入口は、体液成分測定センサＳの横断面の形状に合わせて設けられているので、体液成分測定センサに血液などの体液ＢＦが付着していた場合に、周囲が汚れやすい。押さえ部材２４は、この投入口の周囲に付着した体液ＢＦを吸収する役割をも果たしている。押さえ部材２４の材質としては、血液などの体液ＢＦを吸収するようなものが望ましい。たとえば、不織布やスポンジが使用される。
【００３８】
押さえ部材２４は、両面テープを用いてキャップの上壁部２５の内面に貼り付けられる。もちろん、貼り付け方法は、これに限定されるものではない。接着剤を用いて貼り付けてもよい。
【００３９】
アダプター４は、収容部１上部に設けられた開口１３に、使用済みの体液成分測定センサＳを投入するための投入部３を形成するためのものである。このアダプター３を使用することによって、使用前の体液成分測定センサを保管するための容器を、体液成分測定センサ用廃棄容器Ｘ１の一部として再利用することができる。図２に示すように、アダプター４は投入部３および弾性脚部４１を備えている。投入部３は収容部１の開口１３の形状に合わせた形状を有している。アダプター４は、投入部３が収容部１の開口１３を塞ぐように、収容部１に嵌め込まれている。この投入部３が設けられることによって、使用者は使用済みの体液成分測定センサＳにアクセスしにくくなる。また、廃棄容器であることが見分け易い。これによって、誤って使用済みの体液成分測定センサを再使用することを防止できる。
【００４０】
投入部３は、中央部に投入口３１を具備している。投入口３１は、体液成分測定センサＳを収容部１に投入するためのものである。また、体液成分測定センサ用廃棄容器Ｘ１であることの目印となるものである。投入口３１は、体液成分測定センサＳの横断面の形状に合わせた形状を有している。体液成分測定センサを、収容部１から取り出すことを困難とするためである。投入部３は、投入口３１に向かって低くなるテーパ部３２を備えている。このテーパ部３２は、体液成分測定センサを投入口３１に導きやすくするためのものである。なお、投入部３は開口１３を塞ぐように取り付けられるので、投入部３上に設けられた投入口３１は、キャップ２によって開閉可能になっている。
【００４１】
図３に示すように、返り部材７は投入口３１の下方に配置されている。返り部材７は、本考案でいう脱出防止手段の一例に相当するものである。返り部材７は、収納部１に廃棄された体液成分測定センサＳやそれに付着した体液ＢＦが、投入口３２から脱出しないようにするためのものである。返り部材７は、たとえばエラストマーやゴムのような弾性を有する材料を用いて製造される。返り部材７は、投入口３１の両側に、隙間が開かないように形成されている。具体的には、エラストマーの小片が、両面テープによって貼り付けられる。使用済みの体液成分測定センサＳは、その先端で返り部材７を押し分けるようにして、投入口３１を介して収容部１中に廃棄される。その後、返り部材７は、弾性により元の形状に戻り、再び投入口３１を塞ぐ。
【００４２】
図２に示すように、アダプター４は、投入部３の下方に弾性脚部４１を備えている。弾性脚部４１は、アダプター４を収容部１内にしっかりと保持するためのものである。アダプター４が収容部１に嵌め込まれていない場合、２本の弾性脚部４１は、収容部１の直径よりも外側に開いている。アダプター４が収容部１に嵌めこまれる際に、弾性脚部４１は内側に弾性変形させられ、すぼめられる。アダプター４は、この状態で収容部１中に嵌め込まれ、弾性変形により生じる収納部１の内面を押さえる外向きの力により、保持される。
【００４３】
図４に示すように、アダプター４の弾性脚部４１は、下部に第１の係合部４２を備えている。その一方、収容部１は、その内面に第２の係合部１５を備えている。この第２の係合部１５は、収容部１の側壁部１１に外部から圧力をかけることにより形成される。アダプター３は、第１の係合部４２と第２の係合部１５が係合することにより収容部内に固定される。このことにより、投入部３は、簡単に取り外しできないように収納部１の開口に取り付けられる。
【００４４】
図４に示すように、吸収材５は、使用済みの体液成分測定センサＳに付着した体液ＢＦを吸収することにより、外部に出ることを防止するためのものである。吸収材５は、本考案でいう脱出防止手段の一例に相当するものである。吸収材５は、収容部１の内部の底壁部１２上に設けられている。吸収材５は、液状の体液ＢＦを矢印のように吸収する。吸収材５は、たとえば、織物、編物、不織布、または粉状や粒状の親水性ポリマーである。吸収材５は、収容部１の底壁部１２に置いておくだけでよい。織物、編物、または不織布を用いる場合は、両面テープや接着剤によって固定してもよい。
【００４５】
固着材６は、体液ＢＦが乾燥して固体となったものを固着させて、外部に出ることを防止するためのものである。固着材６は、本考案でいう脱出防止手段の一例に相当するものである。図４に示すように、固着材６は、収容部１の内部に配置され、アダプター４の弾性脚部４１上に形成されている。固着材６は、たとえば、粘着剤を、弾性脚部４１に塗布することにより形成されたものである。もちろん、吸収材５をアダプターの弾性脚部４１上に設けてもよく、固着材６を収容部１の内部の底壁部１２上に設けてもよい。
【００４６】
次に、体液成分測定センサ用廃棄容器Ｘ１の使用法について説明する。
【００４７】
図５（Ａ）は、体液成分測定センサ用廃棄容器Ｘ１を用いて体液成分測定センサＳを廃棄しているところを示している。使用済みの体液成分測定センサＳを廃棄する際、鍔部２３を用いて体液成分測定センサ用廃棄容器Ｘ１のキャップ２を開けると、投入口３１が露出する。簡易体液成分測定装置Ｍの挿入口（図示略）に挿入された体液成分測定センサＳの先端を投入口３１に近づけ、イジェクトレバーＥを矢印Ｎ１方向に押すと、体液成分測定センサＳは、挿入口から押し出される。図には示していないが、押し出された体液成分測定センサＳは、投入口３１の返り部材７を押しのけて、収容部１の中に廃棄される。その後、返り部材７は元の形状に戻り、再び投入口３１を塞いだ状態となる。これにより、キャップ２を閉じなくても、一旦収容部１中に廃棄された体液成分測定センサＳが、外部に脱出することを防止できる。
【００４８】
図５（Ｂ）は、体液成分測定センサＳを廃棄後、キャップ２が閉じられた状態を示している。廃棄された体液成分測定センサＳに体液ＢＦが付着していた場合は、収容部１の底壁部１２に配置されている吸収材５に吸い取られる。また、体液ＢＦが乾燥して固体状になった場合には、アダプター４の弾性脚部４１に設けられた固着材６によって固着される。廃棄時、投入口３１の周囲に体液が付着した場合でも、キャップ２を閉じることにより、押さえ部材２４が、投入口３１の周囲を塞ぎ、体液ＢＦは押さえ部材２４に吸い取られる。収容部１が、体液成分測定センサＳで一杯になった場合には、体液成分測定センサ用廃棄容器Ｘ１ごと廃棄することができる。
【００４９】
以上のように、本実施形態に係る体液成分測定センサ用廃棄容器Ｘ１は、投入部３が収容部１の開口１３に設けられた構成とされているので、体液成分測定センサ用廃棄容器Ｘ１は、廃棄用の容器であることを判別し易い。これによれば、使用前のセンサの保管容器に使用済みの体液成分測定センサＳを誤って廃棄することを抑制可能である。
【００５０】
また、体液成分測定センサ用廃棄容器Ｘ１は、投入部３に設けられた、体液成分測定センサＳの横断面の形状に合わせて形成された投入口３１を介して体液成分測定センサＳを収容部１に廃棄する。これにより、体液成分測定センサを投入することは容易であるが、取り出すことは困難であるので、使用済みの体液成分測定センサＳの再使用を抑制することができる。
【００５１】
また、吸収材５、固着材６、返り部材７のような脱出防止手段、および押さえ部材２４の機能により、一度廃棄された体液成分測定センサＳおよびこれに付着した体液ＢＦが、体液成分測定センサ用廃棄容器Ｘ１から再度外部に脱出することを防止可能である。これにより、衛生的な体液成分測定センサＳの廃棄が可能となる。同様に、体液成分測定センサＳで一杯になった体液成分測定センサ用廃棄容器Ｘ１自体を衛生的に廃棄可能である。
【００５２】
また、体液成分測定センサ用廃棄容器Ｘ１は小型に構成にされているので、持ち運びに便利である。
【００５３】
次に、本考案が適用された第２の実施の形態に係る体液成分測定センサ用廃棄容器Ｘ２を図６を参照して説明する。図６に示す体液成分測定センサ用廃棄容器Ｘ２は、体液成分測定センサ用廃棄容器Ｘ１と比較してアダプター４Ａの弾性脚部４１ａの形状に特徴がある。以下にその特徴を説明する。なお、この図においては、第１の実施の形態に係る体液成分測定センサ用廃棄容器Ｘ１と同等な部材や要素などについては、図１〜図５と同一の符号を付してあり、ここではその説明を省略する。
【００５４】
体液成分測定センサ用廃棄容器Ｘ２のアダプター４Ａの弾性脚部４１ａは、円筒の側部４１ａ’の一か所を縦方向に割り、そこから側部４１ａ’を左右に広げた形状を有している。このアダプター４Ａを収容部１に嵌め込む場合には、左右に広がった弾性脚部４１ａを矢印の方向に弾性変形させて、すぼめる必要がある。アダプター４Ａの弾性脚部４１ａを変形させて、収容部１に嵌め込むと、弾性脚部４１ａの外側に向けて生じる力によって、収容部１の側壁部１１を押すことになり、アダプター４Ａは、収容部１内にしっかりと保持される。アダプター４Ａは、弾性脚部４１ａの面積が大きいので、より安定的に保持される。収容部１が、体液成分測定センサＳで一杯になった場合には、体液成分測定センサ用廃棄容器Ｘ２ごと廃棄することができる。
【００５５】
以上のように、本実施形態に係る体液成分測定センサ用廃棄容器Ｘ２によれば、投入部３を収容部１の開口１３に安定的にしっかりと保持することが可能となる。これにより、体液成分測定センサＳを容易に取り出せず、また、内容物が使用済みの体液成分測定センサＳであることを判別しやすいので、体液成分測定センサＳの再使用を防止可能である。
【００５６】
次に、本考案が適用された第３の実施の形態に係る体液成分測定センサ用廃棄容器Ｘ３を図７を参照して説明する。図７に示す体液成分測定センサ用廃棄容器Ｘ３は、体液成分測定センサ用廃棄容器Ｘ１と比較してアダプター４Ｂの弾性脚部４１ｂの形状に特徴がある。以下にその特徴を説明する。なお、すでに説明した部材や要素などについては、同一の符号を付し、その説明を省略する。
【００５７】
体液成分測定センサ用廃棄容器Ｘ３のアダプター４Ｂの弾性脚部４１ｂは、投入部３から連続した円筒形状を有している。弾性脚部４１ｂは、側部４１ｂ’と底部４４とを備えている。側部４１ｂ’は、収容部１の側壁部１１の内面に当接するための突起４３を備えている。また、図７に示すように、弾性脚部４１ｂが底部４４を有しているため、吸収材５や固着材６を設ける場合には、アダプター４Ｂの内部にこれらを配置することになる。このアダプター４Ｂは、収容部１内に嵌め込まれるものなので、これらの吸収材５や固着材６が収容部１内に設けられることについては、変わりがない。
【００５８】
本実施形態のアダプター４Ｂを収容部１に嵌め込むには、弾性脚部４１ｂを突起４３の高さ分だけ矢印方向に弾性変形させる必要がある。弾性脚部４１ｂを変形させて、収容部１に嵌め込むと、弾性脚部４１ｂが外側に向けて生じる力によって、突起４３が収容部１の側壁部１１を押すことになり、アダプター４Ｂは、収容部１内に安定的にしっかりと保持される。収容部１が、体液成分測定センサＳで一杯になった場合には、体液成分測定センサ用廃棄容器Ｘ３ごと廃棄することができる。
【００５９】
一方で、このようなアダプター４Ｂであれば、誤って収容部１から外れたとしても、アダプター４Ｂ自体の密閉性が高いので、内部に収容された使用済みの体液成分測定センサＳが外部に出ることはない。
【００６０】
以上のように、本実施形態に係る体液成分測定センサ用廃棄容器Ｘ３によれば、投入部３が収容部１の開口１３に安定的にしっかりと保持されることにより、体液成分測定センサＳを容易に取り出せず、また、内容物が使用済みの体液成分測定センサＳであることを判別しやすいので、体液成分測定センサＳの再使用が防止可能である。また、アダプター４Ｂ自体の密閉性が高いことより、より衛生的に携帯することができる。
【００６１】
本考案が適用された第４の実施形態について図８〜図９を参照して説明する。
【００６２】
図８に示す体液成分測定センサ用廃棄容器Ｘ４は、投入部３Ａがキャップ２Ａに設けられている点に特徴がある。以下においては、キャップ２Ａとそれに関連する要素について説明する。すでに説明した部材や要素などについては、同一の符号を付し、その詳細な説明を省略する。
【００６３】
図８に示すように、本実施形態の体液成分測定センサ用廃棄容器Ｘ４は、キャップ２Ａ、収容部１Ａ、吸収材５、固着材６、および返り部材７を具備している。
【００６４】
キャップ２Ａは、収容部１Ａの開口１３を覆うためのものである。キャップ２Ａは、たとえば、金属またはプラスチックを材料として製造される。図８および図９に示すように、キャップ２Ａの周壁部２１は雌ネジ２１ａ備えており、収容部１Ａは側壁部１１の上部に雄ネジ１１ａを備えており、両者は螺合により結合されている。これにより、収容部１Ａ上部の開口１３は、開閉可能とされている。螺合により結合されているので、キャップ２Ａは、携帯中でも、容易に収容部１Ａから外れない。
【００６５】
キャップ２Ａは、投入部３Ａおよびカバー２７を備えている。キャップ２Ａが収容部１Ａに結合された場合、投入部３Ａは収容部１Ａの開口１３を塞ぐように構成されている。投入部３Ａは、中央部に体液成分測定センサＳを収容部１Ａに投入するための投入口３１Ａを備えている。投入部３Ａの上面には、投入口３１Ａの周囲を囲むように凸部３３が設けられている。凸部３３には投入口３１Ａに向かって低くなるテーパ部３２Ａが設けられている。体液成分測定センサ用廃棄容器Ｘ４には、体液成分測定センサ用廃棄容器Ｘ１と同様、投入口３１Ａの下方に返り部材７が設けられている。
【００６６】
カバー２７は、投入部３Ａを覆うためのものであり、キャップ２Ａの周壁部２１にヒンジ２７ａを介して結合されており、投入口３１Ａを開閉することができるように構成されている。カバー２７は、その上壁部２７ｂの内面に、投入口３１Ａを確実に塞ぐための押さえ部材２７ｃを備えている。押さえ部材２７ｃは、カバー２７が投入部３Ａを覆った際、投入部３Ａの投入口３１Ａの周囲に設けられた凸部３３の周囲を取り囲む凸部として構成されている。この押さえ部材２７ｃは、カバー２７に一体成型により形成されている。もちろん、不織布やスポンジのような体液を吸収する材料を両面テープや接着剤で貼り付けたものでもよい。
【００６７】
押さえ部材２７ｃには、突起２７ｄが設けられている。一方で、凸部３３には突起２７ｄと係合するように突起３３ａが設けられている。これらの突起２７ｄと突起３３ａが係合することにより、カバー２７は、容易に開かないようになっている。カバーの周壁部２７ｅの外面には、鍔部２７ｆが設けられている。鍔部２７ｆは、投入部３Ａを覆っているカバー２７を開けやすくするためのものである。
【００６８】
収容部１Ａの内部には、底壁部１２に体液成分測定センサＳに付着した体液ＢＦを吸収するための吸収材５、側壁部１１の内面に乾燥した体液ＢＦを固着するための固着材６が設けられている。もちろん、固着材６を底壁部１２に設け、吸収材５を側壁部１１の内面に設けてもよい。
【００６９】
次に、図９を参照して、体液成分測定センサ用廃棄容器Ｘ４の使用方法を説明する。
【００７０】
図９（Ａ）に示すように、カバー２７が矢印の方向に開けられると投入部３Ａに設けられた投入口３１Ａが現れる。図９（Ｂ）に示すように、簡易体液成分測定装置Ｍの挿入口（図示略）にセットされた体液成分測定センサＳの先端を投入口３１Ａに近づけ、イジェクトレバーＥを矢印Ｎ１方向に押すと、体液成分測定センサＳは、簡易体液成分測定装置Ｍの挿入口から押し出され、投入口３１Ａを介して収容部１Ａに廃棄される。この図には表れていないが、押し出された体液成分測定センサＳは、投入口３１Ａの返り部材７を押しのけて、収容部１Ａの中に廃棄される。その後、返り部材７は元の形状に戻り、再び投入口３１Ａを塞いだ状態となる。これにより、カバー２７を閉じなくても、一旦収容部１Ａ中に廃棄された体液成分測定センサＳが、外部に脱出することを防止できる。
【００７１】
図には表れていないが、体液成分測定センサＳに体液ＢＦが付着している場合は、収容部１Ａの底壁部１２に配置されている吸収材５に吸い取られる。また、体液ＢＦが乾燥した場合でも、その体液ＢＦは固着材６によって固着される。体液成分測定センサＳが廃棄された後、カバー２７は再度閉じられる。この際、押さえ部材２７ｃが、投入口３１Ａを覆う。
【００７２】
図９（Ｃ）に示すように、キャップ２Ａを矢印の方向に回転し，キャップ２Ａと収容部１Ａの螺合を解除することにより、開口１３を開けることができる。
【００７３】
以上のように、本実施形態に係る体液成分測定センサ用廃棄容器Ｘ４によれば、キャップ２Ａと収容部１Ａが螺合により確実に結合しており、投入部３Ａがキャップ２Ａを介して収容部１Ａの開口１３に安定的にしっかりと保持されている。これにより、携帯中は体液成分測定センサＳを容易に取り出せず、また、内容物が使用済みの体液成分測定センサＳであることが判断しやすいので、体液成分測定センサＳの再使用が防止可能である。また、キャップ２Ａを外せば体液成分測定センサＳは、ポリ袋などにまとめて廃棄できるので、体液成分測定センサ用廃棄容器Ｘ４は繰り返し使用が可能である。
【００７４】
本考案が適用された第５の実施形態を図１０〜図１３を参照して説明する。
【００７５】
図１０に示す体液成分測定センサ用廃棄容器Ｘ５は、収容部１Ｂおよびキャップ２Ｂに特徴があるので、主としてそれらの特徴について説明する。
【００７６】
図１０に示すように収容部１Ｂは、その側壁上部に投入部３Ｂを備えている。投入部３Ｂには、投入口３１Ｂが形成されている。図１１に示すように、投入口３１Ｂには、返り部材７が設けられている。
【００７７】
図１０に示すように、キャップ２Ｂはその周壁部２１に貫通窓２１ｂを備えている。貫通窓２１ｂは、投入口３１Ｂと同様、体液成分測定センサＳの横断面の形状に合わせた形状を有している。キャップ２Ｂは、矢印が示すように収容部１Ｂの開口１３の周方向に回転可能とされている。所定の位置で投入口３１Ｂと貫通窓２１ｂが一致し、前記収容部１Ｂの内外が貫通するように構成されている。体液成分測定センサＳは、この投入口３１Ｂと貫通窓２１ｂが一致した貫通部から、収納部１Ｂ内に投入される。
【００７８】
図１１に示すように、キャップ２Ｂの周壁部２１の内面に周状の凸部２１ｃを備えている。その一方、収容部１Ｂは、側壁上部の投入部３Ｂの下方に周状の凸部１５を備えている。キャップ２Ｂの凸部２１ｃが、凸部１５を乗り越えるようにして、収容部１Ｂに嵌め込まれている。これにより、携帯中に、収容部１Ｂからキャップ２Ｂが不用意に外れることがなくなる。
【００７９】
図１２に示すように、キャップ２Ｂの貫通窓２１ｂの両側に縦方向に凸部２１ｄが設けられている。その一方、投入部３Ｂの投入口３１Ｂの両側にも、縦方向に凸部３４が、設けられている。キャップ２Ｂを回転して投入口３１Ｂと貫通窓２１ｂを一致させるには、キャップ２Ｂに設けられた凸部２１ｄが、投入部３Ｂの凸部３４を乗り越えなければならないようにされている。これによれば、携帯中に投入口３１Ｂと貫通窓２１ｂが容易に一致することがないので、収容部１Ｂ中の体液成分測定センサＳや体液ＢＦが容易に外部に脱出することがなくなる。
【００８０】
なお、本実施態様においても、収容部１Ｂの底壁部１２上に体液成分測定センサＳに付着した体液ＢＦを吸収するための吸収材５、側壁部１１の内面に乾燥した体液ＢＦを固着するための固着材６が設けられている。もちろん、固着材６を底壁部１２に設け、吸収材５を側壁部１１の内面に設けてもよい。
【００８１】
次に、図１３を参照して、体液成分測定センサ用廃棄容器Ｘ５の使用方法を説明する。
【００８２】
図１３（Ａ）に示すように、キャップ２Ｂが矢印の方向に回転させられると、貫通窓２１ｂと投入口３１Ｂとが一致し、収容部１Ｂの内外が貫通する。これにより、体液成分測定センサ用廃棄容器Ｘ５は体液成分測定センサＳを廃棄可能な状態となる。
【００８３】
図１３（Ｂ）に示すように、体液成分測定センサＳの先端を投入口３１Ｂに近づけ、簡易体液成分測定装置ＭのイジェクトレバーＥを矢印Ｎ１方向に押すと、体液成分測定センサＳは押し出され、投入口３１Ｂを介して収容部１Ｂに廃棄される。この図には表れていないが、押し出された体液成分測定センサＳは、投入口３１Ｂの内側に設けられた返り部材７を押しのけて、収容部１Ｂの中に廃棄される。その後、返り部材７は、弾性によって元の形状に戻る。体液成分測定センサＳに体液ＢＦが付着している場合は、収容部１Ｂの底壁部１２に配置されている吸収材５に吸い取られる。また、体液ＢＦが乾燥した場合でも、その体液ＢＦは、収容部１Ｂの側壁部１１の内面に設けられた固着材６によって固着される。
【００８４】
図１３（Ｃ）に示すように、矢印の方向にキャップ２Ｂを回転すると、投入口３１Ｂが再度キャップ２Ｂの周壁部２１に覆われる。収容部１Ｂ中に収容された体液成分測定センサＳは、体液成分測定センサ用廃棄容器Ｘ５ごと廃棄してもよいし、キャップ２Ｂを外して体液成分測定センサＳをまとめてポリ袋等に廃棄してもよい。
【００８５】
以上のように、本実施形態によれば、比較的少ない部品によって、密閉性がよく、携帯性に優れた体液成分測定センサ用廃棄容器Ｘ５を提供することができる。
【００８６】
本考案に係る体液成分測定センサ用廃棄容器は、上述した実施形態に限定されるものではない。本考案に係る体液成分測定センサ用廃棄容器の具体的な構成は、種々に設計変更可能である。
【符号の説明】
【００８７】
Ｘ１，Ｘ２，Ｘ３，Ｘ４，Ｘ５  体液成分測定センサ用廃棄容器
ＢＦ  体液
Ｓ  体液成分測定センサ
１，１Ａ，１Ｂ  収容部
１３  開口（収容部の）
１５  第２の係合部
２，２Ａ，２Ｂ  キャップ
２１  周壁部（キャップの）
２１ｂ  貫通窓
２４，２７ｃ  押さえ部材
２６，２７ａ  ヒンジ
２７  カバー
３，３Ａ，３Ｂ  投入部
３１，３１Ａ，３１Ｂ  投入口
４，４Ａ，４Ｂ  アダプター
４１，４１Ａ,４１Ｂ  弾性脚部
４２  第１の係合部
５  吸収材（脱出防止手段）
６  固着材（脱出防止手段）
７  返り部材（脱出防止手段） 
【図１】
0003163879.tif 000003
【図２】
0003163879.tif 000004
【図３】
0003163879.tif 000005
【図４】
0003163879.tif 000006
【図５】
0003163879.tif 000007
【図６】
0003163879.tif 000008
【図７】
0003163879.tif 000009
【図８】
0003163879.tif 000010
【図９】
0003163879.tif 000011
【図１０】
0003163879.tif 000012
【図１１】
0003163879.tif 000013
【図１２】
0003163879.tif 000014
【図１３】
0003163879.tif 000015